(57)【特許請求の範囲】
【請求項１】
主載置板と、前記主載置板の底面に設置される支持部材と、前記支持部材に枢結され、かつ折畳収納可能な主脚枠と、前記主載置板の下方に設置されて前記支持部材と相接され、かつ展開収縮方向に沿って前記主載置板から繰り返し離間可能な延伸ユニットと、前記延伸ユニット上に設置される副載置板と、連接ユニットとを備える延伸テーブル椅子であって、
前記延伸ユニットは、支承棒と、前記支承棒の両端に連接され、かつ前記支持部材と相接される囲続枠と、折畳収納可能な脚枠機構とを含み、前記脚枠機構は、相互に間隔をあけて前記囲続枠にそれぞれ枢結され、かつ前記主脚枠に合わせて前記主載置板を保持自立可能にする２本の保持脚棒と、前記複数の保持脚棒と前記支承棒との間に連接され、かつ略Ｖ字型を呈する傾斜保持棒とを有し、前記脚枠機構は、前記延伸ユニットに伴って移動し、
前記連接ユニットは、前記主載置板と前記延伸ユニットとを結合するために、前記支持部材と前記囲続枠との間に設置されることを特徴とする、延伸テーブル椅子。
【請求項２】
前記傾斜保持棒は、前記複数の保持脚棒に連接され、かつ前記支承棒の中心に取外し可能に連接され、前記延伸ユニットは、前記支承棒の中心に設置され、かつ前記傾斜保持棒を嵌挿するために供される副結合ブロックを含むことを特徴とする、請求項１に記載の延伸テーブル椅子。
【請求項３】
前記囲続枠は、前記展開収縮方向に沿って延伸され、かつ前記支承棒の両端にそれぞれ連接される２本の側棒と、前記複数の側棒に連接される連結棒とを有し、前記複数の側棒及び前記支持部材は、いずれも間隔をあけて設置される多数個の挿通ボルト孔を有し、前記連接ユニットは、２つの固定挿通ボルトを含み、各該固定挿通ボルトが対応の該挿通ボルト孔に挿入されることにより、対応の前記支持部材と対応の該側棒とに連接されることを特徴とする、請求項１に記載の延伸テーブル椅子。
【請求項４】
前記連接ユニットは、前記展開収縮方向に沿って延伸されるスライドレール組立体を含み、前記スライドレール組立体は、前記支持部材と前記囲続枠とに連接され、前記スライドレール組立体は、各該側棒に形成されるスライド溝と、前記スライド溝を穿設し、かつ前記支持部材に連接されるスライド棒とを有し、前記スライド棒は、前記スライド溝内に摺動可能に構成されることを特徴とする、請求項３に記載の延伸テーブル椅子。
【請求項５】
主載置板と、前記主載置板の底面に設置される支持部材と、前記主載置板の下方の対向両側にそれぞれ設置されて前記支持部材と相接され、かつ展開収縮方向に沿って前記主載置板から繰り返し離間可能な２つの延伸ユニットと、対応の該延伸ユニット上にそれぞれ設置される２枚の副載置板と、２つの連接ユニットとを備える延伸テーブル椅子であって、
各該延伸ユニットは、支承棒と、前記支承棒の両端に連接され、かつ前記支持部材と相接される囲続枠と、折畳収納可能な脚枠機構とを含み、前記脚枠機構は、前記囲続枠にそれぞれ枢結され、かつ相互に間隔をあける２本の保持脚棒と、前記複数の保持脚棒と前記支承棒との間に連接され、かつ略Ｖ字型を呈する傾斜保持棒とを有し、
複数の前記脚枠機構は、前記複数の延伸ユニットに伴って移動し、
前記複数の連接ユニットは、前記主載置板と前記複数の延伸ユニットとを結合するために、前記支持部材と複数の前記囲続枠との間にそれぞれ設置されることを特徴とする、延伸テーブル椅子。
【請求項６】
主載置板と、前記主載置板の底面に設置される支持部材と、前記支持部材に枢結され、かつ折畳収納可能な主脚枠と、前記主載置板の下方に設置されて前記支持部材と相接され、かつ展開収縮方向に沿って前記主載置板から繰り返し離間可能な延伸ユニットと、前記延伸ユニット上に設置される副載置板と、連接ユニットとを備える延伸テーブル椅子であって、
前記延伸ユニットは、支承棒と、前記支承棒の両端に連接され、かつ前記支持部材と相接される囲続枠と、折畳収納可能な脚枠機構とを含み、前記脚枠機構は、相互に間隔をあけて前記囲続枠にそれぞれ枢結され、かつ前記主脚枠に合わせて前記主載置板を保持自立可能にする２本の保持脚棒と、前記複数の保持脚棒と前記囲続枠との間にそれぞれ傾斜枢結される２本の傾斜保持棒とを有し、前記脚枠機構は、前記延伸ユニットに伴って移動し、
前記連接ユニットは、前記主載置板と前記延伸ユニットとを結合するために、前記支持部材と前記囲続枠との間に設置されることを特徴とする、延伸テーブル椅子。
【請求項７】
各該傾斜保持棒は、前記囲続枠と枢結される第１保持棒と、対応の該保持脚棒と枢結される第２保持棒とを有し、各該傾斜保持棒は、前記第１保持棒と前記第２保持棒とを枢結してなるものであることを特徴とする、請求項６に記載の延伸テーブル椅子。
【請求項８】
前記囲続枠は、前記展開収縮方向に沿って延伸され、かつ前記支承棒の両端にそれぞれ連接される２本の側棒と、前記複数の側棒に連接される連結棒とを有し、前記複数の側棒及び前記支持部材は、いずれも間隔をあけて設置される多数個の挿通ボルト孔を有し、前記連接ユニットは、２つの固定挿通ボルトを含み、各該固定挿通ボルトが対応の該挿通ボルト孔に挿入されることにより、対応の前記支持部材と対応の該側棒とに連接されることを特徴とする、請求項６に記載の延伸テーブル椅子。
【請求項９】
前記連接ユニットは、前記展開収縮方向に沿って延伸される２つのスライドレール組立体を含み、前記複数のスライドレール組立体は、対応の前記支持部材と前記複数の側棒とにそれぞれ連接され、各該スライドレール組立体は、各該側棒に形成されるスライド溝と、前記スライド溝を穿設し、かつ前記支持部材に連接されるスライド棒とを有し、前記スライド棒は、前記スライド溝内に摺動可能に構成されることを特徴とする、請求項８に記載の延伸テーブル椅子。
【請求項１０】
主載置板と、前記主載置板の底面に設置される支持部材と、前記主載置板の下方に設置されて前記支持部材と相接され、かつ展開収縮方向に沿って前記主載置板から繰り返し離間可能な２つの延伸ユニットと、対応の該延伸ユニット上にそれぞれ設置される２枚の副載置板と、２つの連接ユニットとを備える延伸テーブル椅子であって、
各該延伸ユニットは、支承棒と、前記支承棒の両端に連接され、かつ前記支持部材と相接される囲続枠と、折畳収納可能な脚枠機構とを含み、前記脚枠機構は、前記囲続枠にそれぞれ枢結され、かつ相互に間隔をあける２本の保持脚棒と、前記複数の保持脚棒と前記囲続枠との間にそれぞれ傾斜枢結される２本の傾斜保持棒とを有し、複数の前記脚枠機構は、前記複数の延伸ユニットに伴って移動し、
前記複数の連接ユニットは、前記主載置板と前記複数の延伸ユニットとを結合するために、前記支持部材と複数の前記囲続枠との間にそれぞれ設置されることを特徴とする、延伸テーブル椅子。
【発明の詳細な説明】
【技術分野】
【０００１】
本発明は、屋外に使用される延伸テーブル椅子に関するものである。
【背景技術】
【０００２】
レジャー旅行の盛んな流行につれ、野外のピクニック時には、容易に携帯でき、かつ需要に応じてテーブル面の大きさを変更する延伸テーブルが必要となる。図１に示すように、一般に既知の延伸テーブルが重合収納状態にあるときには、主テーブル体９０と、主テーブル体９０の内部にそれぞれ設けられる２つの延伸枠９１と、前記主テーブル体９０のテーブル板の頂面にそれぞれ覆い重ねられる２枚の延伸テーブル板９２とを備える。
【０００３】
図２に示すように、テーブル面を拡大する必要があるとき、前記複数の延伸枠９１を前記主テーブル体９０から引き出すことで、前記複数の延伸枠９１を露出させ、それから、前記複数の延伸テーブル板９２を反転して前記延伸枠９１上に展開敷設することで、前記複数の延伸テーブル板９２と前記主テーブル体９０のテーブル板とを相連結し、使用面積をより広くする。
【発明の概要】
【発明が解決しようとする課題】
【０００４】
しかしながら、この構造から構成されるテーブル体は、そのうちの１つの延伸テーブル板９２に重い物を置く際、重心が不安定となって転倒してしまう状況を発生することがあり、かつこの構造のテーブル脚を折畳収納することができないため、携帯に不便である。
【課題を解決するための手段】
【０００５】
本発明の延伸テーブル椅子は、主載置板と、前記主載置板の底面に設置される支持部材と、前記支持部材に枢結され、かつ折畳収納可能な主脚枠と、前記主載置板の下方に設置される延伸ユニットと、前記延伸ユニット上に設置される副載置板と、前記支持部材と前記延伸ユニットとの間に設置される連接ユニットとを備え、前記延伸ユニットは、前記支持部材及び前記連接ユニットと相接され、前記延伸ユニットは、支承棒と、前記支承棒の両端に連接され、かつ前記支持部材と相接される囲続枠と、折畳収納可能な脚枠機構とを含む。前記脚枠機構は、前記延伸ユニットに伴って展開収縮方向に沿って移動し、前記脚枠機構は、相互に間隔をあけて前記囲続枠にそれぞれ枢結され、かつ前記主脚枠に合わせて前記主載置板を保持自立可能にする２本の保持脚棒と、前記複数の保持脚棒と前記支承棒との間に連接され、かつ略Ｖ字型を呈する傾斜保持棒とを有する。
【発明の効果】
【０００６】
以上をまとめると、本発明の延伸テーブル椅子によれば、前記複数の保持脚棒は、前記延伸ユニットに伴って前記展開収縮方向に沿って前記主載置板に接近したり、離間したりするので、前記副載置板上に重い物を置く際、前記複数の保持脚棒により、前記副載置板が自立するように保持させることができるから、前記延伸テーブル椅子を転倒させることなく、前記支承棒は、前記主載置板の重量を支持することができ、かつ前記傾斜保持棒を介して重量を前記複数の保持脚棒に分散させることで、延伸テーブル椅子全体の重心をさらに安定させ、かつ前記脚枠機構の枢結構造によって前記複数の保持脚棒を前記主載置板に向けて接近させていき、前記主載置板の下面に収納することができるので、本発明の目的を確実に達成し得る。
【図面の簡単な説明】
【０００７】
【図１】既知の延伸テーブル椅子の側面図であり、前記延伸テーブル椅子の重合収納状態を説明する図である。
【図２】既知の延伸テーブル椅子の側面図であり、引き出された２つの延伸枠を備える前記延伸テーブル椅子の展開状態を説明する図である。
【図３】本発明の第１実施例の延伸テーブル椅子の分解斜視図であり、前記延伸テーブル椅子は延伸ユニットを備えることを説明する図である。
【図４】前記第１実施例の不完全な側面図であり、前記延伸テーブル椅子の前記延伸ユニットが展開位置にあることを説明する図である。
【図５】前記第１実施例の不完全な断面図であり、前記延伸テーブル椅子の連接ユニットがスライドレール組立体からなる構造であることを説明する図である。
【図６】前記第１実施例の不完全な断面図であり、前記延伸テーブル椅子は２本の収納棒を含むことを説明する図である。
【図７】本発明の第２実施例の斜視図であり、前記延伸テーブル椅子は２つの延伸ユニットを備えることを説明する図である。
【図８】前記第２実施例の不完全な断面図であり、前記延伸テーブル椅子の前記複数の延伸ユニットが展開位置にあることを説明する図である。
【図９】本発明の第３実施例の不完全な斜視図であり、各延伸ユニットは２つのスリーブ筒を有することを説明する図である。
【図１０】本発明の第４実施例の不完全な斜視図であり、連接ユニットが固定挿通ボルトからなる構造であることを説明する図である。
【図１１】本発明の第５実施例の不完全な断面図であり、前記延伸テーブル椅子は１つの延伸ユニットを備えることを説明する図である。
【図１２】本発明の第６実施例の不完全な断面図であり、前記延伸テーブル椅子は２つの延伸ユニットを備えることを説明する図である。
【発明を実施するための形態】
【０００８】
〔第１実施例〕
図３〜図５に示すように、本発明の延伸テーブル椅子の第１実施例において、本第１実施例では、テーブルを例として説明するが、設計上、必要に応じて形状、大きさまたは高さを変えて椅子、丸椅子や小型テーブルなどの家具になるので、前記延伸テーブル椅子のデザインタイプとしては、テーブルに限定されない。前記延伸テーブル椅子は、長方形を呈する主載置板１と、支持部材２と、折畳収納可能な主脚枠２０と、延伸ユニット３と、前記主載置板１及び前記延伸ユニット３と相接される連接ユニット４と、副載置板５とを備える。
【０００９】
前記主載置板１は、上下反対の頂面１１と、底面１２とを含み、前記頂面１１は、物品を置いたり、腰掛けたりするために用いられ、前記支持部材２は、底面１２の長側に沿って間隔をあけて設置される２本の長棒２１と、前記複数の長棒２１の末端に連接され、かつ前記主載置板１のうちの１つの短側に近隣する第１保持棒２２と、前記複数の長棒２１に連接され、かつ前記第１保持棒２２と間隔をあけて配置される第２保持棒２３とを含む。前記第２保持棒２３の中心には、主結合ブロック２３１を有し、前記主結合ブロック２３１は、前記第２保持棒２３に連接される座台部２３２と、前記座台部２３２から下向きに延伸されて略Ｃ字型を呈する挟持部２３３とを有する。前記主脚枠２０は、前記複数の長棒２１の末端にそれぞれ枢結される２本の主保持脚棒２０１と、前記複数の主保持脚棒２０１に枢結され、かつ前記挟持部２３３に嵌挿されて略Ｖ字型を呈する主傾斜保持棒２０２とを有し、前記主傾斜保持棒２０２は、対応の主保持脚棒２０１にそれぞれ枢結される２つの主直線保持節２０３と、前記挟持部２３３に取外し可能に嵌挿される主折曲節２０４とを有する。
【００１０】
前記延伸ユニット３は、前記主載置板１の他の短側に位置し、かつ前記複数の長棒２１と相接されると共に、展開収縮方向に沿って前記主載置板１に繰り返し接近したり、離間したりすることができる。前記延伸ユニット３は、前記主載置板１の下方に位置する支承棒３０と、前記支承棒３０の中心に設置される副結合ブロック３１と、前記支承棒３０の両端に連接される囲続枠３２と、前記囲続枠３２に枢結される脚枠機構３３とを含む。前記囲続枠３２は、前記展開収縮方向に沿って延伸され、かつ前記支承棒３０の両端にそれぞれ連接される２本の側棒３２１と、前記複数の側棒３２１の末端に連接されて前記支承棒３０と平行であり、かつ間隔をあけて配置される連結棒３２２とを有し、前記脚枠機構３３は、前記複数の側棒３２１にそれぞれ枢結される２本の保持脚棒３３１と、前記複数の保持脚棒３３１に枢結され、かつ前記副結合ブロック３１の間に嵌挿されて略Ｖ字型を呈する傾斜保持棒３３２とを有する。前記副結合ブロック３１は、前記支承棒３０に連接される副座台部３１１と、前記副座台部３１１に連接され、かつ下向きに延伸されて略Ｃ字型を呈する副挟持部３１２とを有し、前記傾斜保持棒３３２は、対応の保持脚棒３３１にそれぞれ枢結される２つの直線保持節３３３と、前記副挟持部３１２に嵌挿される折曲節３３４とを有する。前記延伸ユニット３は、前記展開収縮方向に沿って前記主載置板１に相対して移動することができるから、前記延伸ユニット３を前記主載置板１の下方に位置させる重合収納位置（未図示）と、前記延伸ユニット３を前記主載置板１から離間させる展開位置との間に移動する。
【００１１】
図３と図５に示すように、前記連接ユニット４は、前記複数の側棒３２１と前記複数の長棒２１とを連接するために用いられ、前記連接ユニット４は、前記展開収縮方向に沿って延伸されるスライドレール組立体４０を含む。前記スライドレール組立体４０のうちの１つのスライドレールは、各側棒３２１に形成されるスライド溝４０１と、前記スライド溝４０１を穿設し、かつ前記長棒２１に連接されるスライド棒４０２とを有し、前記スライド棒４０２は、前記スライド溝４０１内に摺動可能に構成されることから、前記延伸ユニット３は、前記展開位置と前記重合収納位置とに沿って移動するように連動することができる。スライドレールの構造タイプが数多く存在するため、実施に際しては、第１実施例の態様に制限されない。
【００１２】
図３に示すように、前記副載置板５は、前記延伸ユニット３の上方に取外し可能に装着され、前記主載置板１の使用面積を拡張するために用いられる。
【００１３】
図６に示すように、使用者が容易に前記副載置板５を収納・取外しするために、発明者は、さらに間隔をあけて設置される２本の収納棒８１を含む枠体ユニット８を増設し、各該収納棒８１は、前記複数の側棒３２１の間に装着され、各該収納棒８１は、前記副載置板５を載荷するための本体８１１と、前記本体８１１の両端から上向きに延伸される２つの垂直部８１２と、前記複数の垂直部８１２の頂端に連接され、かつ反対に延伸されると共に、前記複数の側棒３２１に連接される２つの連接部８１３とを有する。前記枠体ユニット８は、前記副載置板５を収納する必要がないときに、前記主載置板１の方向に向けて引寄せ接近してもよく、需要に応じて着脱してもよく、かつ前記枠体ユニット８の前記複数の収納棒８１の個数を副載置板５の大きさに応じて適宜最適な個数に調整してかかる収納棒８１を増設することができ、本実施例では、視角に限度があるため、１個のみを表示している。
【００１４】
使用時、前記複数の主保持脚棒２０１と前記複数の保持脚棒３３１とを枢動展開させて前記主載置板１から離間させると共に、前記主傾斜保持棒２０２の前記主折曲節２０４を前記挟持部２３３に嵌め込み、次に前記傾斜保持棒３３２の前記折曲節３３４を前記支承棒３０の前記副挟持部３１２内に嵌め込むことで、前記主脚枠２０と前記脚枠機構３３により前記主載置板１が自立するように保持させ、テーブル面の使用面積を増加する必要が場合、前記延伸ユニット３を前記展開位置に移動させ、前記延伸ユニット３を主載置板１から露出させると共に、前記副載置板５を前記囲続枠３２の上方に据え付けた後、前記延伸テーブル椅子の展開延伸が完了する。前記延伸テーブル椅子を重合収納しようとするときに、前記副載置板５を取り下げ、前記延伸ユニット３を前記展開収縮方向に沿って前記主載置板１の下面に向けて前記重合収納位置に移動させると共に、前記折曲節３３４を前記副挟持部３１２より引っ張り出して前記複数の直線保持節３３３と連動して、前記複数の保持脚棒３３１が枢回動されて前記主載置板１に向けて接近するように枢動させられ、それから、主折曲節２０４を前記挟持部２３３より引っ張り出して前記主脚枠２０を枢動させて折畳収納させた後、前記延伸テーブル椅子の重合収納が完了する。前記副載置板５を９０度水平回転させて前記複数の収納棒８１内に入れ込めば、前記副載置板５の収納が完了する。
【００１５】
前記展開位置にあるときに、前記支承棒３０は、前記主載置板１の重量を支持するために用いられ、前記主載置板１の荷重による湾曲変形を回避することができ、かつ前記囲続枠３２を連接することで、前記囲続枠３２の機構強度を強化することができる。前記傾斜保持棒３３２が前記副結合ブロック３１に嵌挿されることにより、前記主載置板１の重量を前記複数の保持脚棒３３１に分散させることができ、かつ前記傾斜保持棒３３２を前記副結合ブロック３１より取外しすることができ、前記複数の保持脚棒３３１と連動して、前記主載置板１の下方に向けて枢回動して重合収納する。前記展開収縮方向に沿って前記延伸ユニット３を移動させるときに、前記複数の保持脚棒３３１は、前記延伸ユニット３に伴って前記展開位置と前記重合収納位置との間に移動するので、重い物を前記副載置板５に置く際、前記複数の保持脚棒３３１は、前記副載置板５の押し下げ重量を支持することができ、しかも前記延伸テーブル椅子を転倒させることはない。
〔第２実施例〕
【００１６】
図７〜図８に示すように、本発明の第２実施例において、本実施例は両辺延伸の延伸テーブル椅子であり、第１実施例との相違点は、前記延伸テーブル椅子は、前記主載置板１の底面１２に設置される支持部材２と、前記主載置板１の２つの短側にそれぞれ設置されて前記支持部材２と相接される２つの延伸ユニット３と、前記支持部材２と該延伸ユニット３とにそれぞれ相接される２つの連接ユニット４と、２枚の副載置板５とを備える点である。前記支持部材２は、それぞれ前記底面１２の長側に沿って間隔をあけて設置される２本の長棒２１を含む。
【００１７】
使用時、前記複数の保持脚棒３３１を枢動展開させて前記主載置板１から離間させ、前記複数の傾斜保持棒３３２の前記複数の折曲節３３４をそれぞれ対応の前記複数の副挟持部３１２内に嵌め込むことで、前記複数の脚枠機構３３により前記主載置板１が自立するように保持させることができる。テーブル面を展開する必要があるときに、前記複数の延伸ユニット３をそれぞれ前記展開位置に外向きに移動させることで、前記複数の延伸ユニット３を主載置板１から露出させると共に、前記複数の副載置板５を前記囲続枠３２の上方に据え付けた後、前記延伸テーブル椅子の展開延伸が完了する。前記延伸テーブル椅子を重合収納しようとするときに、前記複数の副載置板５を取り下げ、前記複数の延伸ユニット３をそれぞれ前記重合収納位置に移動させると共に、前記複数の折曲節３３４を前記複数の副挟持部３１２より引っ張り出して前記複数の直線保持節３３３と連動して、前記複数の保持脚棒３３１が枢回動されて前記主載置板１に向けて接近するように枢動させられた後、前記延伸テーブル椅子の重合収納が完了する。
〔第３実施例〕
【００１８】
図９に示すように、本発明の第３実施例において、第２実施例との相違点は、本実施例の前記脚枠機構３３は、２つのスリーブ筒３３５をさらに有し、前記傾斜保持棒３３２の直線保持節３３３と前記複数の保持脚棒３３１の連接方式は、前記複数のスリーブ筒３３５を利用してスリーブ接続する点である。各スリーブ筒３３５は、対応の保持脚棒３３１を穿設するための直線貫通部３３６と、前記直線貫通部３３６に枢結されて前記複数の傾斜保持棒３３２のうちの１つの直線保持節３３３を穿設するための傾斜貫通部３３７とを有し、前記複数の保持脚棒３３１を前記複数の直線貫通部３３６に穿延通過させると共に、前記複数の直線保持節３３３を前記複数の傾斜貫通部３３７に穿設し、前記傾斜保持棒３３２と前記複数の保持脚棒３３１とを連接することができる。
【００１９】
本実施例の使用方式は、第２実施例とほぼ同じであり、異なるところは、前記複数の傾斜保持棒３３２は、前記複数のスリーブ筒３３５を介して前記複数の保持脚棒３３１に固定し、前記延伸テーブル椅子の展開使用時には、前記複数の傾斜保持棒３３２は、同様に前記主載置板１を支持することが達成され、しかも前記延伸テーブル椅子の重合収納時には、前記傾斜保持棒３３２の前記複数の直線保持節３３３を前記複数のスリーブ筒３３５的傾斜貫通部３３７から取外しする必要があるため、前記複数の傾斜保持棒３３２と前記複数の保持脚棒３３１を取外しさせてこそ、前記複数の保持脚棒３３１を前記主載置板１の底部に向けて重合収納することである。
〔第４実施例〕
【００２０】
図１０に示すように、本発明の第４実施例において、第２実施例との相違点は、本実施例の連接ユニット４は、挿通ボルト構造で前記延伸ユニット３と前記支持部材２とを連接し、各長棒２１と各側棒３２１は、いずれも間隔をあけて設置される多数個の挿通ボルト孔４２を有し、前記連接ユニット４は、２つの固定挿通ボルト４１を含み、各固定挿通ボルト４１が対応の挿通ボルト孔４２にそれぞれ挿入されることにより、前記主載置板１と延伸ユニット３とを固定する点である。繰り返し離間し、かつ相接される前記支持部材２と延伸ユニット３の構造タイプが数多く存在するため、実施に際しては、前記複数の連接ユニット４は、実施例の態様に制限されない。
【００２１】
本実施例の使用方式は、第２実施例とほぼ同じであり、異なるところは、前記延伸テーブル椅子の展開と重合収納使用時には、いずれも前記複数の固定挿通ボルト４１を対応の挿通ボルト孔４２内に挿入する必要があるため、前記主載置板１と前記複数の延伸ユニット３とを連接することである。
〔第５実施例〕
【００２２】
図１１に示すように、本発明の第５実施例において、第１実施例との相違点は、前記延伸テーブル椅子は、前記主載置板１の前記底面１２に設置される支持枠６と、前記支持枠６に枢結されるテーブル脚枠７と、前記支持枠６に連接される延伸ユニット３とを備える点である。前記支持枠６は、それぞれ前記主載置板１の長側に間隔をあけて設置される２本の支持棒６１を含む。前記テーブル脚枠７は、対応の支持棒６１にそれぞれ枢結される２本の脚棒７１と、対応の支持棒６１と脚棒７１との間にそれぞれ傾斜枢結される２本の保持棒７２とを含む。該保持棒７２は、第１傾斜棒７２１と、第２傾斜棒７２２とを有し、各本の保持棒７２は、前記第１傾斜棒７２１と前記第２傾斜棒７２２とを枢結してなるものである。前記延伸ユニット３は、前記複数の側棒３２１と前記複数の保持脚棒３３１とにそれぞれ傾斜枢結される２本の傾斜保持棒３３２を有する。各傾斜保持棒３３２は、対応の側棒３２１と枢結される第１保持棒３３８と、対応の保持脚棒３３１と枢結される第２保持棒３３９とを有し、各傾斜保持棒３３２は、前記第１保持棒３３８と前記第２保持棒３３９とを枢結してなるものである。
【００２３】
本実施例の使用方式は、第１実施例とほぼ同じであり、異なるところは、テーブル脚の展開方式は、テーブル脚の重合収納方式と違い、テーブル脚の展開時には、前記複数の脚棒７１と前記複数の保持脚棒３３１とを枢動展開させて前記主載置板１から離間させることで、前記複数の保持棒７２と前記複数の傾斜保持棒３３２とをまっすぐにさせ、前記テーブル脚枠７と前記脚枠機構３３により、前記主載置板１が自立するように保持させることができることである。テーブル脚を重合収納しようとするときに、前記第１保持棒３３８と前記第２保持棒３３９との枢結箇所に圧力を付加し、前記第１傾斜棒７２１と前記第２傾斜棒７２２との枢結箇所に圧力を付加することで、前記複数の傾斜保持棒３３２と前記複数の保持棒７２とを折曲して、対応の保持脚棒３３１を枢動連動して前記主載置板１の底部に向けて接近させて重合収納を完了する。
〔第６実施例〕
【００２４】
図１２に示すように、本発明の第６実施例において、本実施例は両辺延伸の延伸テーブル椅子であり、第５実施例との相違点は、前記延伸テーブル椅子は、前記主載置板１の２つの短側にそれぞれ設置されて前記複数の支持棒６１に連接される２つの延伸ユニット３と、前記複数の支持棒６１と前記延伸ユニット３とにそれぞれ連接される２つの連接ユニット４と、２枚の副載置板５とを備える点である。
【００２５】
本実施例の使用方式は、第５実施例とほぼ同じであり、異なるところは、前記延伸テーブル椅子の展開と重合収納使用時には、前記主載置板１の両短側の延伸ユニット３を外向きに展開させて前記主載置板１から露出させ、内向きに前記主載置板１の下面に重合収納する必要があることである。
【００２６】
以上をまとめると、本発明の延伸テーブル椅子によれば、前記複数の保持脚棒３３１は、前記延伸ユニット３に伴って前記展開収縮方向に沿って前記主載置板１に接近したり、離間したりするので、前記副載置板５上に重い物を置く際、前記複数の保持脚棒３３１により、前記副載置板５が自立するように保持させることができるから、前記延伸テーブル椅子を転倒させることなく、前記支承棒３０は、前記主載置板１の重量を支持することができ、かつ前記傾斜保持棒３３２を介して重量を前記複数の保持脚棒３３１に分散させることで、延伸テーブル椅子全体の重心をさらに安定させ、かつ前記脚枠機構３３の枢結構造によって前記複数の保持脚棒３３１を前記主載置板１に向けて接近させていき、前記主載置板１の下面に収納することができるので、本発明の目的を確実に達成し得る。
【符号の説明】
【００２７】
１：主載置板
１１：頂面
１２：底面
２：支持部材
２０：主脚枠
２０１：主保持脚棒
２０２：主傾斜保持棒
２０３：主直線保持節
２０４：主折曲節
２１：長棒
２２：第１保持棒
２３：第２保持棒
２３１：主結合ブロック
２３２：座台部
２３３：挟持部
３：延伸ユニット
３０：支承棒
３１：副結合ブロック
３１１：副座台部
３１２：副挟持部
３２：囲続枠
３２１：側棒
３２２：連結棒
３３：脚枠機構
３３１：保持脚棒
３３２：傾斜保持棒
３３３：直線保持節
３３４：折曲節
３３５：スリーブ筒
３３６：直線貫通部
３３７：傾斜貫通部
３３８：第１保持棒
３３９：第２保持棒
４：連接ユニット
４０：スライドレール組立体
４０１：スライド溝
４０２：スライド棒
４１：固定挿通ボルト
４２：挿通ボルト孔
５：副載置板
６：支持枠
６１：支持棒
７：テーブル脚枠
７１：脚棒
７２：保持棒
７２１：第１傾斜棒
７２２：第２傾斜棒
８：枠体ユニット
８１：収納棒
８１１：本体
８１２：垂直部
８１３：連接部
【要約】      （修正有）【課題】延伸テーブル椅子を提供する。【解決手段】主載置板１と、主載置板の底面１２に設置される支持部材２と、主載置板の下方の対向両側にそれぞれ設置されて支持部材に連接され、かつ前記主載置板から繰り返し離間可能な２つの延伸ユニット３と、前記複数の延伸ユニット上にそれぞれ設置される２枚の副載置板５とを備える。各脚枠機構３３は、前記複数の延伸ユニットにそれぞれ枢結され、かつ相互に間隔をあける２本の保持脚棒３３１と、前記複数の保持脚棒と前記支承棒との間に連接され、かつ略Ｖ字型を呈する傾斜保持棒３３２とを有し、前記複数の保持脚棒が前記複数の延伸ユニットに伴って移動するので、前記副載置板上に重い物を置く際、前記複数の保持脚棒は前記延伸テーブル椅子を転倒させることなく、かつ前記脚枠機構の枢結構造によって前記複数の保持脚棒を前記主載置板に向けて接近させていき、前記主載置板の底部に収納することができる。【選択図】図７【図１】
0006963084.tif 000002
【図２】
0006963084.tif 000003
【図３】
0006963084.tif 000004
【図４】
0006963084.tif 000005
【図５】
0006963084.tif 000006
【図６】
0006963084.tif 000007
【図７】
0006963084.tif 000008
【図８】
0006963084.tif 000009
【図９】
0006963084.tif 000010
【図１０】
0006963084.tif 000011
【図１１】
0006963084.tif 000012
【図１２】
0006963084.tif 000013